【事件の表示】
　平成１１年特許願第２８３１７９号「表示装置」拒絶査定不服審判事件〔平成１３年　４月２０日出願公開、特開２００１−１０９３９８〕について、次のとおり審決する。
【結　論】
　本件審判の請求は、成り立たない。
【理　由】
１．手続の経緯
　本願は、出願日が平成１１年１０月４日である特願平１１−２８３１７９号であって、平成１５年４月３日付けで拒絶査定がなされ、これに対し平成１５年５月８日に拒絶査定に対する審判請求がなされ、平成１５年６月６日付けで手続補正がなされた。
　
２．平成１５年６月６日付けの手続補正についての補正却下の決定
［補正却下の決定の結論］
　　平成１５年６月６日付けの手続補正を却下する。
［理由］目的制限違反、独立特許要件違反
２−１．補正後の本願発明
　本件補正により、特許請求の範囲の請求項１は、平成１４年１０月２８日付け手続補正書の請求項１の「複数のゲートラインと、該ゲートラインに直交して設けられたドレインラインとで区画された画素領域を有し、該画素領域には第１のＴＦＴと第２のＴＦＴと保持容量とアノード電極、カソード電極、有機ＥＬ層とで構成されるＥＬ発光素子とが配置されたアクティブ型表示装置に於いて、カソード電極は少なくとも表示領域を覆って一部は該表示領域から延長して配置され外部入力端子群の内カソードバイアス入力端子と接続されるとともに、前記カソードバイアス入力端子の幅は、前記カソード電極の幅のうち、前記カソードバイアス入力端子の設けられた辺側の幅よりも狭く、前記カソードバイアス入力端子は前記カソード電極とのコンタクト部の酸化物からなる導電材料であり、更に、前記カソードバイアス入力端子は、実質的に複数本で構成されて前記カソード電極と電気的に接続されたことを特徴とする表示装置。」から
　「複数のゲートラインと、該ゲートラインに直交して設けられたドレインラインとで区画された画素領域を有し、該画素領域には第１のＴＦＴと第２のＴＦＴと保持容量とアノード電極、カソード電極、有機ＥＬ層とで構成されるＥＬ発光素子とが配置されたアクティブ型表示装置に於いて、カソード電極は少なくとも表示領域を覆って一部は該表示領域から延長して配置され外部入力端子群の内カソードバイアス入力端子と接続されるとともに、前記カソードバイアス入力端子の設けられた前記カソード電極の辺方向の前記カソードバイアス入力端子の幅は、前記カソード電極及び前記表示領域の幅の、前記カソードバイアス入力端子の設けられた辺方向の幅よりも狭く、また前記カソードバイアス入力端子は、前記カソードバイアス入力端子と前記カソード電極とのコンタクト間に介在するアノード電極材料で構成されるコンタクト部を有し、前記カソード電極の辺方向の前記コンタクト部の幅は、前記カソード電極及び前記表示領域の幅のうち、前記カソードバイアス入力端子の設けられた辺方向の幅よりも狭く、また前記カソードバイアス入力端子は、前記カソード電極とのコンタクト部の前記アノード電極材料を最上層に配置しており、更に、前記カソードバイアス入力端子は、実質的に複数本で構成されて前記カソード電極と電気的に接続されたことを特徴とする表示装置。」と補正された。
　
　この補正は、「カソードバイアス入力端子の幅」を「カソードバイアス入力端子の設けられた前記カソード電極の辺方向の前記カソードバイアス入力端子の幅」と補正（以下「補正ア」という。）し、
「カソード電極の幅のうち、前記カソードバイアス入力端子の設けられた辺側の幅よりも狭く」を「カソード電極及び前記表示領域の幅の、前記カソードバイアス入力端子の設けられた辺方向の幅よりも狭く」と補正（以下「補正イ」という。）し、
「カソードバイアス入力端子は前記カソード電極とのコンタクト部の酸化物からなる導電材料であり」を「カソードバイアス入力端子は、前記カソードバイアス入力端子と前記カソード電極とのコンタクト間に介在するアノード電極材料で構成されるコンタクト部を有し、前記カソード電極の辺方向の前記コンタクト部の幅は、前記カソード電極及び前記表示領域の幅のうち、前記カソードバイアス入力端子の設けられた辺方向の幅よりも狭く、また前記カソードバイアス入力端子は、前記カソード電極とのコンタクト部の前記アノード電極材料を最上層に配置しており」と補正（以下「補正ウ」という。）したものである。
　
２−２．目的制限違反
　上記補正イの内、「カソード電極の幅」を「カソード電極及び前記表示領域の幅」とする補正、補正ウにおいて、「カソード電極及び前記表示領域の幅」を追加する補正は、特許法第１７条の２第４項各号のいずれを目的とするものとも認められず、本件補正は、特許法第１５９条第１項で読み替えて準用する特許法第５３条第１項の規定により却下されるべきものである。
　
２−３．独立特許要件違反
　本件補正は、上記のように目的制限違反で却下されるべきものであるが、仮に、全体として、特許法第１７条の２第４項第２号の限定的減縮に該当するものであるとした場合、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
（１）引用例
　原査定の拒絶の理由に引用された本願の出願日前の他の出願であって、その出願後に出願公開された特願平１１−１６７５５６号（特開２０００−３７５５８４号）の願書に最初に添付した明細書及び図面（以下、「先願明細書」という。）には、以下の点が記載されている。
　
ア．【００１２】
　上記取出端子群は、同一の形状を備えた取出端子を連設されている。同一形態の取出端子であれば、コネクタなどによる基板との接続が規格化でき経済的かつ容易だからである。
・・・
【００２３】
　表示領域１は、複数の画素領域で構成されており、その上面（図面手前）には総ての画素領域を覆って共通した電流が流れる共通電極１０が形成されている。各画素領域に形成される素子に限定はないが、本実施形態では例えば図２に示すような構造の電界発光素子１２を例示する。共通電極１０は通常の表示装置では、方形に形成されている。
 　
イ．【００２５】
　コンタクトパターン２は、本発明に係り、共通電極１０と取出端子群６との間に設けられ、コンタクト配線２１を介して取出端子群６の一部の取出端子６１と共通電極１０とを電気的に接続するパターンとなっている。コンタクト配線２１は、取出端子６１と同じ材料で同一の層にパターニングされている。ただしコンタクトパターン２と各取出端子６１とを直接接続してあってもよい。
　
ウ．【００３３】
　・・・。電界発光層１０７としては、陽極から輸送された正孔と陰極から輸送された電子とが結合して電界発光現象を生じるような有機発光材料などの材料であり、発光層の他に正孔輸送層および／または電子輸送層を備えていてもよい。電界発光層１０７は、画素ごとにパターニングされていてもよい。
【００３４】
　一つの画素領域１１に対しては、電界発光素子１２と駆動用トランジスタ１３と制御用トランジスタ（制御用トランジスタは図２に図示しない）が設けられている。説明を簡単にするため、制御用トランジスタの図示を省略してある。
【００３５】
　電界発光素子１２は、画素電極１２１と陰極層２０４とで電界発光層１０７を挟み込んだ構造を備えている。陰極層２０４は総ての画素領域１１に共通した連続した膜として形成されている。画素電極１２１は陽極となっている。
　
エ．【００３７】
　コンタクトパターン２は、層構造上、陰極層２０４とコンタクト配線２１とを、スルーホール３０３を介して、ＩＴＯ層２０３、アルミニウム配線層２０２およびタンタル配線層２０１により電気的に相互に接続された構造である。ＩＴＯ層２０３は、表示領域１側の電界発光素子の画素電極１２１、アルミニウム配線層２０２はソース電極１３１とドレイン電極１３２、タンタル配線層２０１はゲート電極１３３と同じ材料からなる層であって、これらの電極がパターニングされる際に同時にパターン形成される。陰極層２０４とコンタクト配線２１との接続に用いられているのは、総て導電性層であるため、極めて低抵抗で電気的な接続をすることが可能になっている。また、ＩＴＯ層２０３、アルミニウム配線層２０２、タンタル配線層２０１のうちいずれかの層が存在しなくてもよい。コンタクト配線２１の表示領域１側と反対側の端部は、スルーホール３０４内でＩＴＯ層２０３、アルミニウム配線層２０２およびタンタル配線層２０１が積層された構造で、取出端子６１実装テープに接続されている。
　
オ．【００３８】
　図３に上記画素領域１１の集合である電界発光表示素子全体回路図を示す。
【００３９】
　当該電界発光表示装置において、信号配線ｓｉｇは信号駆動回路３に接続され、バス配線３１を介して画像信号を信号配線ｓｉｇに供給するようになっている。給電配線ｃｏｍは、周辺回路５に接続され一定電圧に電流を給電配線に供給するようになっている。走査配線ｇａｔｅは走査駆動回路４に接続され、バス配線４１を介して走査信号を走査配線ｇａｔｅに供給するようになっている。信号駆動回路３および走査駆動回路４は、Ｎ型のトランジスタとＰ型のトランジスタとで相補型トランジスタ回路が形成されている。相補型トランジスタによって、駆動回路として機能させるためのシフトレジスタ、レベルシフタ、アナログスイッチ、ラッチなどの基本回路が構成されている。
【００４０】
　信号配線ｓｉｇ、走査配線ｇａｔｅおよび給電配線ｃｏｍで囲まれているのが画素領域１１であって、各々が等価回路として、電界発光素子１２、駆動用トランジスタ１３、制御用トランジスタ１４および保持容量ｃａｐを備えている。
【００４１】
　上記構成において、走査配線ｇａｔｅを介して走査信号が制御用トランジスタ１４のゲートに供給されると、制御用トランジスタ１４がオン状態になり、信号配線ｓｉｇを介して画像信号の電位がそのドレインに供給される。この電位は保持容量ｃａｐにおいて保持される。画像信号として画素を点灯させる電位が供給されていると、駆動用トランジスタ１３がオン状態になり、ソースを介して画素電極１２１に電源電流が供給されるようになる。電界発光素子１２では、電界発光層１０７では、画素電極１２１から輸送された正孔と共通電極１０から輸送された電子とが結合して電界発光現象を生じ発光する。電界発光層１０７からの光は透明電極である画素電極１２１を介して透明基板１００より射出される。
【００４２】
　上記構成によれば、電界発光素子１２の陰極は、共通電極１０となっており、コンタクトパターン２を介して一定数の取出端子６１に接続されているので、陰極における抵抗値が低くなり、電圧降下を少なくすることができ、明るい画像表示が可能になる。抵抗値の軽減により、消費電力が少なくなり発熱を抑制できる。
　
　上記記載事項、及び図１、図２等から、先願明細書には、「複数の走査配線ｇａｔｅと、該走査配線ｇａｔｅに直交して設けられた信号配線ｓｉｇとで区画された画素領域１１を有し、該画素領域１１には制御用トランジスタ１４と駆動用トランジスタ１３と保持容量ｃａｐ保持容量と画素電極１２１、陰極層２０４、電界発光層１０７とで構成される電界発光素子１２とが配置された表示装置に於いて、
陰極層２０４は少なくとも表示領域１を覆って一部は該表示領域１から延長して配置され取出端子群６の内取出端子６１と接続されるとともに、
前記取出端子６１の設けられた前記陰極層２０４の辺方向の前記取出端子６１の幅は、前記陰極層２０４及び前記表示領域１１の幅の、前記取出端子６１の設けられた辺方向の幅よりも狭く、
また前記取出端子６１は、前記取出端子６１と前記陰極層２０４とのコンタクト間に介在する画素電極１２１材料で構成されるコンタクトパターン２を有し、
前記陰極層２０４の辺方向の前記コンタクトパターン２の幅は、前記陰極層２０４及び前記表示領域１の幅のうち、前記取出端子６１の設けられた辺方向の幅とほぼ等しく、
また前記取出端子６１は、前記陰極層２０４とのコンタクトパターン２の前記画素電極１２１材料が積層された構造で、その上にさらに取出端子６１実装テープが接続されており、
更に、前記取出端子６１は、同一の形状を備えた取出端子を連設されている一定数の取出端子６１で前記陰極層２０４と電気的に接続されたことを特徴とする表示装置。」（以下「先願発明」という。）が記載されている。
　
（２）対比
　そこで、本願補正発明と先願発明とを比較すると、先願発明の「走査配線ｇａｔｅ」は本願補正発明の「ゲートライン」に相当し、以下同様に、「信号配線ｓｉｇ」は「ドレインライン」に、「制御用トランジスタ１４」は「第１のＴＦＴ」に、「駆動用トランジスタ１３」は「第２のＴＦＴ」に、「保持容量ｃａｐ」は「保持容量」に、「画素電極１２１」は「アノード電極」に、「陰極層２０４」は「カソード電極」に、「電界発光層１０７」は「有機ＥＬ層」に、「電界発光素子１２」は「ＥＬ発光素子」に、「表示領域１」は「表示領域」に、「取出端子群６」は「外部入力端子群」に、「取出端子６１」は「カソードバイアス入力端子」に、「コンタクトパターン２」は「コンタクト部」に、それぞれ相当する。
　
　そして、先願発明の表示装置も、画素領域１１ごとに制御用トランジスタ１４と駆動用トランジスタ１３を有し、画素領域１１ごとに駆動電圧を制御するものなので、アクティブ型表示装置であることは明らかである。
　
　また、取出端子６１は、同一の形状を備えた取出端子を連設されている一定数の取出端子６１からなるのであるから、実質的に複数本で構成されている。
　
　したがって、両者は、「複数のゲートラインと、該ゲートラインに直交して設けられたドレインラインとで区画された画素領域を有し、該画素領域には第１のＴＦＴと第２のＴＦＴと保持容量とアノード電極、カソード電極、有機ＥＬ層とで構成されるＥＬ発光素子とが配置されたアクティブ型表示装置に於いて、カソード電極は少なくとも表示領域を覆って一部は該表示領域から延長して配置され外部入力端子群の内カソードバイアス入力端子と接続されるとともに、前記カソードバイアス入力端子の設けられた前記カソード電極の辺方向の前記カソードバイアス入力端子の幅は、前記カソード電極及び前記表示領域の幅の、前記カソードバイアス入力端子の設けられた辺方向の幅よりも狭く、また前記カソードバイアス入力端子は、前記カソードバイアス入力端子と前記カソード電極とのコンタクト間に介在するアノード電極材料で構成されるコンタクト部を有し、また前記カソードバイアス入力端子は、前記カソード電極とのコンタクト部の前記アノード電極材料を配置しており、更に、前記カソードバイアス入力端子は、実質的に複数本で構成されて前記カソード電極と電気的に接続されたことを特徴とする表示装置。」である点で一致し、以下の各点で一応相違する。
　
相違点１；
　コンタクト部の幅が、本願補正発明ではカソード電極及び前記表示領域の幅のうち、前記カソードバイアス入力端子の設けられた辺方向の幅よりも狭いのに対し、先願発明ではほぼ等しい点。
　
相違点２；
　本願補正発明では、カソードバイアス入力端子は、前記カソード電極とのコンタクト部の前記アノード電極材料を最上層に配置しているのに対し、先願発明では、その上にさらに取出端子６１実装テープが接続されている点。
　
（３）判断
相違点１について
　コンタクト部の幅をどの程度とするかは、許容される抵抗の大きさ、許容される印加バイアスの降下、他の配線配置との関係等により、当業者が適宜決定し得る設計事項であり実質的な相違点ではない。
　
相違点２について
　先願発明において、上記記載事項ア．の段落【００１２】の記載は、同一形態の取出端子を設けた理由として、コネクタなどによる基板との接続が規格化でき経済的かつ容易だからであるとされているが、同一形態に限らず、アノード電極材料の上に取出端子を設けたこと自体も、外部への接続の容易性を考慮してなされたものであることは明らかである。
　したがって、先願発明のようにアノード電極材料の上にさらに取出端子を設けるか、アノード電極材料をそのまま最上層として配置するかは、外部への接続の容易性等に応じて、当業者が適宜選択し得る設計事項であり実質的な相違点ではない。
　
　したがって、本願補正発明は、先願明細書に記載された発明と同一であり、しかも、本願補正発明の発明者が上記先願明細書に記載された発明の発明者と同一であるとも、また、本願の出願時に上記他の出願の出願人と同一であるとも認められないので、本願補正発明は、特許法第２９条の２第１項の規定により特許出願の際独立して特許を受けることができないものである。
　
（４）むすび
　以上のとおり、本件補正は、特許法第１７条の２第５項で準用する同法第１２６条第４項の規定に違反するものであり、特許法第１５９条第１項で読み替えて準用する特許法第５３条第１項の規定により却下されるべきものである。
　
３．本願発明について
（１）本願発明
　平成１５年６月６日付けの手続補正は上記のとおり却下されたので、本願の請求項１に係る発明（以下、「本願発明」という。）は、平成１４年１０月２８日付け手続補正書の特許請求の範囲の請求項１に記載された事項により特定されるものである。（上記、「２−１．補正後の本願発明」参照。）
　
（２）引用例
　原査定の拒絶の理由に引用された先願明細書の記載事項は、前記「２−３．（１）引用例」に記載したとおりである。
　
（３）対比・判断
　本願発明は、本願補正発明から、上記「２．（１）補正後の本願発明」で述べた構成の限定を省いたものである。
　そして、「コンタクト部の酸化物からなる導電材料」が「アノード電極材料」に相当することは明らかである。
　そうすると、本願発明の構成要件をすべて含み、さらにその構成を限定したものに相当する本願補正発明が、前記「２−３．（３）」に記載したとおり、先願明細書の記載事項と同一であり、特許法第２９条の２第１項の規定により特許を受けることができないものであるから、本願発明も、同様の理由により、特許を受けることができないものである。
　
（４）むすび
　以上のとおり、本願発明は、先願明細書に記載された発明と同一であり、しかも、本願発明の発明者が上記先願明細書に記載された発明の発明者と同一であるとも、また、本願の出願時に上記他の出願の出願人と同一であるとも認められないので、本願発明は、特許法第２９条の２第１項の規定により特許を受けることができないものである。
　よって、結論のとおり審決する。